(57)【要約】【課題】軽さ・薄さという外観面と、ソフトな肌触りと言う機能面とを両立させることのできるパイル織物および衣料を提供する。【解決手段】パイル織物１は、表面１ａを平織構造とし、裏面１ｂをパイル織構造とし、パイル糸Ｐを４０番手から１２０番手のニット用糸の双糸とし、ループ長Ｌを０．２ｍｍ〜２ｍｍとする。衣料は、パイル織物を、衣料の内面側のすべてにパイル織り構造が現れるように縫製する。【選択図】図１
0003219307.tif 000002
【実用新案登録請求の範囲】
【請求項１】
表面（１ａ）を平織構造とし、裏面（１ｂ）をパイル織構造とし、パイル糸（Ｐ）を４０番手から１２０番手のニット用糸の双糸とし、ループ長（Ｌ）を０．２ｍｍ〜２ｍｍとしたことを特徴とするパイル織物。
【請求項２】
請求項１記載のパイル織物を用いた衣料であって、
前記パイル織物を、衣料の内面側のすべてに前記パイル織り構造が現れるように縫製したことを特徴とする衣料。
【考案の詳細な説明】
【技術分野】
【０００１】
本考案は、パイル織物および衣料に関するものである。より詳しくは、軽さ・薄さという外観面と、ソフトな肌触りと言う機能面とを両立させたパイル織物、およびこのパイル織物を用いたパジャマ、ホームウエアー、レディースアウター等の衣料に関するものである。
【背景技術】
【０００２】
従来、タオルなどに見られるように、パイル状の織物または編み物等が知られている。
しかし、これらのものは、糸が太く、衣料としてはラフなガウン、パジャマ等、体を包み込むような素材としての使用方法しか考えられなかった。つまり、軽さ・薄さを感じさせるような外観性は有していなかった。
【０００３】
なお、従来、例えば特許文献１に見られるような片面パイル編地が知られている。
しかしこのものは、パイル面において淡く朧調をなす深みのある柄模様を現出させることを目的とするもので、軽さ・薄さを目的とはしていない。
この特許文献１のものは、タオルケットや肌ふとん、シーツ等の寝具類に適したものではあっても、衣類に適したものではない。
【先行技術文献】
【特許文献】
【０００４】
【特許文献１】実用新案登録第3115295号公報
【考案の概要】
【考案が解決しようとする課題】
【０００５】
本考案が解決しようとする課題は、軽さ・薄さという外観面と、ソフトな肌触りと言う機能面とを両立させることのできるパイル織物および衣料を提供することである。
【課題を解決するための手段】
【０００６】
上記課題を解決するために、本考案のパイル織物は、
表面を平織構造とし、裏面をパイル織構造とし、パイル糸を４０番手から１２０番手のニット用糸の双糸とし、ループ長を０．２ｍｍ〜２ｍｍとしたことを特徴とする。
【０００７】
このパイル織物は、表面が平織構造となっており、裏面のみがパイル織構造となっており、しかもループ長が０．２ｍｍ〜２ｍｍと短いので、軽く、かつ薄くすることができる。
また、パイル糸を４０番手から１２０番手のニット用糸の双糸とし、ループ長を０．２ｍｍ〜２ｍｍとしたので、強度を保ちながら細くて肌触りが良く、強いループを構成することができる。
すなわち、このパイル織物によれば、軽さ・薄さという外観面と、ソフトな肌触りと言う機能面とを両立させることのできる。
結果として、充分にファッション性を重視した軽くてさわやかな触感が得られる素材を提供することが可能となる。
【０００８】
また、上記課題を解決するために、本考案の衣料は、
請求項１記載のパイル織物を用いた衣料であって、
前記パイル織物を、衣料の内面側のすべてに前記パイル織り構造が現れるように縫製したことを特徴とする。
【０００９】
この衣料によれば、充分にファッション性を重視した軽くてさわやかな触感が得られる衣料を提供することができる。
【図面の簡単な説明】
【００１０】
【図１】本考案に係るパイル織物の実施の形態の構造を示す部分拡大斜視図。
【図２】同じく拡大概略斜視図。
【考案を実施するための形態】
【００１１】
以下、本考案に係るパイル織物および衣料の実施の形態について図面を参照して説明する。なお、各図において、同一部分ないし相当する部分には、同一の符号を付してある。
【００１２】
図１，図２に示すように、この実施の形態のパイル織物１は、表面（図では下面）１ａを平織構造とし、裏面（図では上面）１ｂをパイル織構造とし、パイル糸Ｐを４０番手から１２０番手のニット用糸の双糸とし、ループ長Ｌを０．２ｍｍ〜２ｍｍとしたものである。
図１において、ループを符号ＬＯで示す。
【００１３】
このパイル織物１は、表面１ａが平織構造となっており、裏面１ｂのみがパイル織構造となっており、しかもループ長Ｌが０．２ｍｍ〜２ｍｍと短いので、軽く、かつ薄くすることができる。
【００１４】
ループ長Ｌが０．２ｍｍ未満であると、ソフトな肌触りが得られなくおそれがある。
逆に、ループ長Ｌが２ｍｍを超えると、織物が厚く、かつ重たくなるおそれがある。
これに対し、この実施の形態のパイル織物１は、ループ長Ｌが０．２ｍｍ〜２ｍｍとなっているので、軽く、かつ薄くすることができ、ソフトな肌触りを得ることができる。
なお、表面１ａもパイル織構造とした場合には、織物が厚く、かつ重たくなってしまう。
【００１５】
このパイル織物１は、パイル糸Ｐを４０番手から１２０番手のニット用糸の双糸とし、ループ長Ｌを０．２ｍｍ〜２ｍｍとしたので、強度を保ちながら細くて肌触りが良く、強いループＬＯを構成することができる。
【００１６】
パイル糸Ｐが４０番手未満であると、衣料用のパイル織物としては、強度が弱くなるおそれがある。
逆に、パイル糸Ｐが１２０番手を超えると、ソフトな肌触りが得られなくおそれがある。
また、織物用の糸は糸そのものに柔軟剤を施していないため非常に切断されやすいのに対し、ニット用糸は切断されにくい。しかも、ニット用糸を双糸とすることで、強度が向上する。
【００１７】
すなわち、このパイル織物１によれば、パイル糸Ｐを４０番手から１２０番手のニット用糸の双糸とし、ループ長Ｌを０．２ｍｍ〜２ｍｍとすることで、強度を保ちながら細くて肌触りが良く、強いループＬＯを構成することが可能となる。
【００１８】
以上のように、このパイル織物１によれば、軽さ・薄さという外観面と、ソフトな肌触りと言う機能面とを両立させることのできる。
結果として、充分にファッション性を重視した軽くてさわやかな触感が得られる素材を提供することが可能となる。
【００１９】
図１，図２において、Ｘ１，Ｘ２は横糸、Ｙは縦糸である。
横糸Ｘ１，Ｘ２、および縦糸Ｙは、表面１ａにおいて必要な強度および柔軟性を有する平織構造を得ることができ、裏面１ｂにおいて、強度を保ちながら細くて肌触りが良く、強いループＬＯを構成できるパイル織構造を得ることができる適宜の糸を採用し得る。
【００２０】
この実施の形態では、次の通りの糸を採用した。
横糸Ｘ１は綿糸とし、６０番手の双糸とした。
横糸Ｘ２は綿糸とし、６０番手の単糸とした。
縦糸Ｙは綿糸とし、１２０番手の双糸とした。
なお、パイル糸Ｐは、上述した通り、４０番手から１２０番手のニット用糸の双糸を採用できる。
この実施の形態では、パイル糸Ｐは綿糸とし、６０番手の双糸とした。
【００２１】
衣料用の生地は縦糸と横糸の密度をある程度多くして破裂強度を保つことが望ましい。図１から明らかなように、１つのループＬＯに対し、横糸Ｘ２はループＬＯの両端を押さえるように配置され、横糸Ｘ１は横糸Ｘ２，Ｘ２の間において２本配置される。このような構造は、縦糸と横糸の密度をある程度多くして破裂強度を保つ上で、望ましい。
また、パイル糸Ｐは強撚糸とすることが強度上望ましい。
【００２２】
この実施の形態の衣料は、図示はしないが、上記のパイル織物１を用いた衣料であって、そのパイル織物１を、衣料の内面側のすべてにパイル織り構造１ｂが現れるように縫製したものである。
【００２３】
この衣料によれば、充分にファッション性を重視した軽くてさわやかな触感が得られる衣料を提供することができる。
別言すれば、お洒落で且つ機能面でのパイル素材の持つ優しいフィット感と心地よい吸水性のある素材の衣料を提供することができる。
例えば、 ワイシャツ、パジャマ、ホームウエアー、レディースウエアーとして提供することができる。
【００２４】
以上、本考案の実施の形態について説明したが、本考案は上記の実施の形態に限定されるものではなく、本考案の要旨の範囲内において適宜変形実施可能である。
【符号の説明】
【００２５】
１    パイル織物
１ａ  表面
１ｂ  裏面
Ｐ    パイル糸
Ｌ    ループ長
【図１】
0003219307.tif 000003
【図２】
0003219307.tif 000004